(57)【要約】【課題】画像処理装置の美観、設置面積に影響を与えることなく、外装部材可動機構を提供し、装置本体および、オプション装置を装着したシステム装置として小型化した画像処理装置を提供すること。【解決手段】回転開閉機構をもつイメージスキャナ１００を備えたプリンタ２００において、プリンタ２００に取り付けられたスライドガイド５１を介して、スライド式外装部材５０をスライド可能に取り付ける。【選択図】図５
2006060684.tif 000002
【特許請求の範囲】
【請求項１】
画像読取装置と画像形成装置とを備えた画像処理装置において、
画像読取装置の回転開閉機構と、スライド可動式の画像処理装置側面の外装と、前記外装のスライド動作をガイドする部材と、前記外装をスライド方向とは逆方向に付勢する付勢手段と、を有し、前記画像読み取り装置の開閉動作に応じて、前記外装がスライドすることを特徴とする画像処理装置。
【請求項２】
スライドした前記外装は、画像処理装置本体外形より突出しないことを特徴とする請求項１記載の画像処理装置。
【請求項３】
前記画像読取装置の回転開閉機構の回転中心は、前記外装の上端部より下側に配置されることを特徴とする請求項１記載の画像処理装置。
【請求項４】
前記画像読取装置の回転開閉機構の回転中心は、前記外装の上端部と同じかそれより上側に配置されることを特徴とする請求項１記載の画像処理装置。
【発明の詳細な説明】
【技術分野】
【０００１】
本発明は、複写機、プリンタ、ファクシミリ、スキャナ等の画像を記録、読み取り等の処理を行う画像処理装置に関する。
【背景技術】
【０００２】
図８は従来の回転可動式画像読取装置付き画像処理装置の断面図、図９は従来の別の回転可動式画像読取装置付き画像処理装置の斜視図、図１０は従来の別の回転可動式画像読取装置付き画像処理装置の画像読取装置が回転した状態を説明するための断面図、図１１は従来の回転式外装と回転可動式画像読取装置付き画像処理装置の断面図、図１２は従来の回転式外装と回転可動式画像読取装置付き画像処理装置の画像読取装置が回転した状態を説明するための斜視図である。
【０００３】
図８に示す回転可動式画像読取装置付き画像処理装置では、プロセスカートリッジ７を交換する場合、画像読取装置１００は回転中心１０１を中心に回転開放される。このとき、外装部材１１０は画像読取装置１００に固定され、画像読取装置１００の開放と共に回転する。
【０００４】
しかし、上記の画像読取装置回転方式では、図８に示すように、画像読取装置１００が本体左側面よりＸ突出する。そのため、画像処理装置本体２００を設置する場合、本体外形寸法よりＸ大きい設置面積が必要となる。
【０００５】
又、オプション装置３００を画像処理装置本体２００に接続する場合、オプション装置３００はＸ以上本体側面より張り出した状態で設置する必要があり、装置全体の小型化を阻害する一因となっている。
【０００６】
このような画像読取装置回転方式に対して、回転中心を移動させた画像読取装置回転方式が知られている。
【０００７】
図９及び図１０に示す回転可動式画像読取装置付き画像処理装置では、プロセスカートリッジ７を交換する場合、画像読取装置１００は回転中心１０１を中心に回転開放される。このとき、外装部材１１０は画像読取装置１００に固定され、画像読取装置１００の開放と共に回転する。
【０００８】
これにより、画像読取装置１００の開放時、画像処理装置本体よりの突出量Ｘを抑えることができる。
【０００９】
又、別の従来技術として、画像読取装置の回転中心と外装部材の回転中心を一致させない方式が知られている。
【００１０】
図１１及び図１２に示す回転可動式画像読取装置付き画像処理装置では、プロセスカートリッジ７を交換する場合、画像読取装置１００は回転中心１０１を中心に回転開放される。このとき、外装部材１１０は画像処理装置本体２００に回転中心１１１を持ち、画像読取装置１００の開放動作に応じて回転する。
【００１１】
これにより、画像読取装置１００の開放時、画像処理装置本体よりの突出量Ｘを抑えることができる。
【発明の開示】
【発明が解決しようとする課題】
【００１２】
しかしながら、上記のような画像読取装置回転方式では、下記のような問題が生じていた。
【００１３】
即ち、図９及び図１０に示された方式の画像処理装置では、画像読取装置１００の本体左側面よりの突出量Ｘを抑えることが可能であるが、外装部材１１０に画像読取装置回転軸支持部材１０３をよけるための大きな切欠き部１０２が必要となり、装置外観を悪化させる一因となる。
【００１４】
又、図１１及び図１２に示された方式の画像処理装置では、画像読取装置１００の本体左側面よりの突出量Ｘを或る程度抑えることが可能であるが、無くなることはない。
【００１５】
本発明は上記の従来技術の課題を鑑みなされたもので、その目的とする処は、美観、設置面積に影響を与えることなく、外装部材可動機構を提供し、装置本体及びオプション装置を装着したシステム装置として小型化した画像処理装置を提供することにある。
【課題を解決するための手段】
【００１６】
上記目的を達成するため、本発明は、画像読取装置と画像形成装置とを備えた画像処理装置において、画像読取装置の回転開閉機構と、スライド可動式の画像処理装置側面の外装と、前記外装のスライド動作をガイドする部材と、前記外装をスライド方向とは逆方向に付勢する付勢手段と、を有し、前記画像読み取り装置の開閉動作に応じて、前記外装がスライドすることを特徴とする。
【発明の効果】
【００１７】
本発明によれば、画像処理装置の美観、設置面積に影響を与えることなく、外装部材可動機構を構成でき、装置本体及びオプション装置を装着したシステム装置として小型化できる。
【発明を実施するための最良の形態】
【００１８】
以下に図面を参照して、この発明の好適な実施の形態を例示的に詳しく説明する。但し、この実施の形態に記載されている構成部品の寸法、材質、形状、その相対配置等は、特に特定的な記載がない限りは、この発明の範囲をそれらのみに限定する趣旨のものではない。又、以下の説明で一度説明した部材についての材質、形状等は、特に改めて記載しない限り初めの説明と同様のものである。
【００１９】
＜実施の形態１＞
図１は本実施の形態に係る画像処理装置の外装可動機構を説明するための断面図、図２は本実施の形態に係る画像処理装置の外装可動状態を説明するための断面図、図３は本実施の形態に係る画像処理装置の外装可動機構を説明するための断面図、図６は本実施の形態に係る画像処理装置の斜視図、図７は本実施の形態に係る画像処理装置の断面図である。
【００２０】
先ず、本実施の形態に係る画像処理装置の全体構成について図６及び図７を参照して説明する。
【００２１】
本実施の形態に係る画像処理装置は、電子写真方式によって画像を形成するプリンタ２００であり、搬送手段によってシートＳを画像形成手段へ搬送してトナー像を転写し、そのシートＳを定着手段へ搬送してトナー定着した後、排出部へと排出する。
【００２２】
具体的には、装置下部にシートＳを積載収納するの着脱可能なユニットであるシートカセット１が装填されており、画像形成に際してはシートＳが給送ローラ２で給送されると共に、分離ローラ対３によって１枚ずつ分離給送され、更に搬送ローラ対４及びレジストローラ対５で画像形成手段へと搬送される。
【００２３】
本実施の形態の画像形成手段（画像処理手段）は電子写真感光体である感光体ドラム６や現像器（図示せず）等を一体的にカートリッジ化したプロセスカートリッジ７がプリンタ２００本体に着脱可能に装填されている。そして、シートＳの搬送と同期して感光体ドラム６にレーザスキャナ８から画信号に応じた露光を行うことで感光体ドラム６に静電潜像を形成し、その静電潜像を現像器によってトナー現像してトナー像として可視像化する。感光体ドラム６上のトナー像は、搬送されるシートＳを挟んで反対側に配置された転写ローラ９へ転写バイアスを印加することでシートＳに転写され画像形成される。
【００２４】
上記のようにしてトナー像が転写されたシートＳは定着手段１２へと搬送される。定着手段１２は内部にヒータ（図示せず）を内蔵した定着ローラ１２ａと、定着ローラ１２ａにシートＳを押圧して駆動回転する加圧ローラ１２ｂとで構成され、両ローラ１２ａ，１２ｂ間をシートが通過する際に加熱及び加圧することでトナー像をシートＳに永久定着する
上記トナー定着されたシートＳは搬送ローラ対１３によって搬送され、排出形態によって搬送路を切り替えるフラッパー１０により、搬送路Ｕまたはシートを反転させる反転部１１を通る搬送路Ｄへと搬送された後、排出ローラ対１４によって装置側面部の排出部１５へ排出される。
【００２５】
又、本実施の形態に係るプリンタ２００は、オプションによって両面搬送ユニット、排紙分別積載ユニット等が装着可能である。両面搬送ユニットはプリンタ本体２００に内蔵され、排紙分別ユニットは装置側面部の排出部１５近傍に設置される。
【００２６】
次に、本実施の形態に係るプリンタ２００のうち、発明の特徴部分であるスライド式の可動可能な外装部材５０について詳述する。
【００２７】
本実施の形態に係るプリンタ２００には、イメージスキャナ１００、スライド式外装部材５０が取り付けられている。イメージスキャナ１００は、プリンタ２００に回転支持部材１０３を介して回転可能に取り付けられている。スライド式外装部材５０は、プリンタ２００に取り付けられたスライドガイド５１を介してプリンタ２００にスライド可能に取り付けられている。又、スライド式外装部材５０はバネ（図示せず）によって、常に本体上方向へ付勢された状態にある。
【００２８】
プロセスカートリッジ７交換時又はジャム処理時において、イメージスキャナ１００は回転軸１０１を中心に回転開放される。
【００２９】
このとき、イメージスキャナ１００の回転動作によって、イメージスキャナ１００の一部がスライド式外装部材５０を本体下方向に押圧する。
【００３０】
そのため、スライド式外装部材５０はスライドガイド５１に沿って、プリンタ２００本体下方向に移動する。
【００３１】
プロセスカートリッジ７交換終了又はジャム処理終了時には、イメージスキャナ１００は回転軸１０１を中心に回転閉鎖される。
【００３２】
このとき、イメージスキャナ１００の回転動作によって、スライド式外装部材５０の本体下方向の押圧が開放され、スライド式外装部材５０はバネ５２によってプリンタ２００本体上方向へとスライドし、初期位置にて停止する。
【００３３】
本実施の形態に係る外装部材の可動機構を用いることで、イメージスキャナ開放時の本体外形からの突出量を大幅に削減できる。これにより、プリンタ本体及び排紙オプション装着時の設置面積を小さくすることが可能となる。
【００３４】
＜実施の形態２＞
次に、本発明の実施の形態１について説明する。
【００３５】
図４は本実施の形態に係る画像処理装置の外装可動機構を説明するための断面図、図５は本実施の形態に係る画像処理装置の外装可動状態を説明するための断面図である。尚、以下では前述した実施形態と異なる部分のみを説明し、同一機能を有する部材については同一符号を付す。
【００３６】
前述した実施の形態１では、イメージスキャナ１００の回転中心１０１をイメージスキャナ下部近傍に設けた例を示したが、図４及び図５に示すように、イメージスキャナ上部近傍に設けても良い。このように構成すると、スライド式外装部材５０のスライド移動量を少なくできる。この場合は、イメージスキャナ１００とプリンタ２００との隙間内にスライド量を抑えることも可能となり、プリンタ２００内にスライド式外装部材の可動空間を用意する必要がない。
【図面の簡単な説明】
【００３７】
【図１】本発明の実施の形態に係る画像処理装置の外装可動機構を説明するための断面図である。
【図２】本発明の実施の形態に係る画像処理装置の外装可動状態を説明するための断面図である。
【図３】本発明の実施の形態に係る画像処理装置の外装可動機構を説明するための断面図である。
【図４】本発明の実施の形態に係る画像処理装置の外装可動機構を説明するための断面図である。
【図５】本発明の実施の形態に係る画像処理装置の外装可動状態を説明するための断面図である。
【図６】本発明の実施の形態に係る画像処理装置の斜視図である。
【図７】本発明の実施の形態に係る画像処理装置の断面図である。
【図８】従来の回転可動式画像読取装置付き画像処理装置の断面図である。
【図９】従来の別の回転可動式画像読取装置付き画像処理装置の斜視図である。
【図１０】従来の別の回転可動式画像読取装置付き画像処理装置の画像読取装置が回転した状態を説明するための断面図である。
【図１１】従来の回転式外装と回転可動式画像読取装置付き画像処理装置の断面図である。
【図１２】従来の回転式外装と回転可動式画像読取装置付き画像処理装置の画像読取装置が回転した状態を説明するための斜視図である。
【符号の説明】
【００３８】
１    シートカセット
２    給送ローラ
３    分離ローラ対
４    搬送ローラ対
５    レジストローラ対
６    感光体ドラム
７    プロセスカートリッジ
８    レーザスキャナ
９    転写ローラ
１０    フラッパー
１１    反転部
１２    定着手段
１２ａ  定着ローラ
１２ｂ  加圧ローラ対
１３    搬送ローラ
１４    排出ローラ対
１５    排出部
５０    スライド式外装部材
５１    スライドガイド
１００  イメージスキャナ
１０１  回転軸
１０２  切欠き部
１０３  回転支持部材
１１０  外装部材
１１１  回転中心
２００  プリンタ
３００  オプション装置
Ｓ    シート
Ｘ    突出量
【図１】
2006060684.tif 000003
【図２】
2006060684.tif 000004
【図３】
2006060684.tif 000005
【図４】
2006060684.tif 000006
【図５】
2006060684.tif 000007
【図６】
2006060684.tif 000008
【図７】
2006060684.tif 000009
【図８】
2006060684.tif 000010
【図９】
2006060684.tif 000011
【図１０】
2006060684.tif 000012
【図１１】
2006060684.tif 000013
【図１２】
2006060684.tif 000014